(57)【特許請求の範囲】
【請求項１】
駆動電源に並列に接続された光及び電磁場を発生する複数の光源を含む光発生装置を収納し、前記複数の光源のそれぞれに対応して、前記電磁場が通過する複数のサンプリング部を含む収納容器と、
前記複数のサンプリング部に対応して前記収納容器の外部に配置され、電磁場に対応して感知信号をそれぞれ出力する複数のセンサユニットと前記複数のセンサユニットを支持するための本体とを有する検出器とを含み、
前記光発生装置は前記光を発生するための前記駆動電源を供給する電源供給モジュールに電気的に接続され、前記電源供給モジュールは前記複数のセンサユニットから出力された前記感知信号のうち少なくとも１つの感知信号のレベルが基準レベルより小さい場合、前記駆動電源を遮断する電源制御モジュールを含むことを特徴とするバックライトアセンブリ。
【請求項２】
互いに並列に接続されて駆動電圧が印加される光及び電磁場を発生する複数の光源を含む光発生装置を収納し、前記複数の光源のそれぞれに対応して、前記電磁場が通過する複数のサンプリング部を含む収納容器と、
前記複数のサンプリング部に対応して前記収納容器の外部に配置され、電磁場に対応して感知信号をそれぞれ出力する複数のセンサユニットと前記複数のセンサユニットを支持するための本体とを有する検出器とを含み、
前記収納容器内に配置されて前記光発生装置に前記駆動電圧を供給し前記複数のセンサユニットから出力された前記感知信号のうち少なくとも１つの感知信号が基準信号のレベルより低いとき前記光発生装置に印加される前記駆動電圧を遮断するインバータを含むことを特徴とするバックライトアセンブリ。
【発明の詳細な説明】
【技術分野】
【０００１】
本発明は、バックライトアセンブリ及びこれを有する表示装置に関し、より具体的には、映像を表示するための光を発生する光源の故障を検出するバックライトアセンブリ及びこれを有する表示装置に関する。
【背景技術】
【０００２】
一般に、表示装置は、情報処理装置から出力された電気的信号を映像に変更させる。表示装置は、ＣＲＴ方式表示装置と平板表示装置とで区分される。平板表示装置は、液晶表示装置、有機電界発光表示装置、プラズマ表示装置などを含む。前記平板表示装置は、ＣＲＴ方式表示装置に比べて軽くて小さいという長所を有する。
液晶表示装置は、高輝度、高効率、均一な輝度、長い寿命。薄型、軽量化、低費用などの特徴を有する。
液晶表示装置は、印加された電界の変化によって液晶の配列が変化して、光透過度が変化する。
液晶表示装置は、受光素子であるので光源から発生された光を利用して映像を表示する。
中型または小型液晶表示装置は、映像を表示するために一つの光源を含む。しかし、大型液晶表示装置は、映像を表示するために少なくとも二つの光源を含む。
大型液晶表示装置は、約２０個程度の光源を含むことができる。
【発明の開示】
【発明が解決しようとする課題】
【０００３】
液晶表示装置が複数の光源及び前記光源に接続された複数の電源供給装置を含む場合、液晶表示装置の大きさ及び製造費用が増加するが、複数個の光源に並列に接続された電源供給装置を１又は２個にした場合、液晶表示装置の大きさ及び製造費用が減少する。
しかし、このように電源供給装置の数を減少させた従来の表示装置においては、電源供給装置に並列に接続された光源のうちいずれかの一つが故障すると、残り光源の過負荷により残りの光源も故障する恐れがある。
従って、本発明はこのような従来の問題点に鑑みなされたもので、本発明の第１目的は、映像を表示するための光を発生する複数の光源のうちいずれか一つが故障したとき、残りの光源を保護するバックライトアセンブリを提供することにある。
本発明の第２目的は、前記バックライトアセンブリを含む液晶表示装置を提供することにある。
【課題を解決するための手段】
【０００４】
このような本発明の第１目的を具現するために、本発明の一実施形態によるバックライトアセンブリは収納容器及び検出器を含む。前記収納容器は光及び電磁場を発生する光発生装置を収納し、前記電磁場が通過するサンプリング部を含む。前記検出器は前記サンプリング部に対応して前記収納容器の外部に配置され、電磁気場に対応して感知信号を出力するセンサユニットと、前記センサユニットを支持するための本体とを有する。
本発明の第１目的を具現するために、本発明の他の実施形態によるバックライトアセンブリは、収納容器及び検出器を含む。前記収納容器は光を発生する発生装置を収納し、前記光が通過されるサンプリング部を含む。前記検出器は、前記サンプリング部に対応して前記収納容器の外部に配置され、前記光に対応して感知信号を出力するセンサユニットと、前記センサユニットを支持するための本体とを有する。
本発明の第１目的を具現するために、本発明のさらに他の実施形態によるバックライトアセンブリは収納容器及び検出器を含む。前記収納容器は、光及び電磁気場を発生する光発生装置を収納し、前記光及び前記電磁気場が通過するサンプリング部を含む。前記検出器は前記サンプリング部に対応して前記収納容器の外部に配置され、前記光に応じて第１感知信号及び前記電磁気場に対応して第２感知信号を出力するセンサユニットと、前記センサユニットを支持するための本体とを有する。
【０００５】
また、本発明の第２目的を具現するために本発明の一実施形態による表示装置はバックライトアセンブリ及び表示パネルを含む。前記バックライトアセンブリは、光及び電磁場を発生する光発生装置を収納し、前記電磁場が通過するサンプリング部を含む収納容器と、前記サンプリング部に対応して前記収納容器の外部に配置され、前記電磁場に応じて感知信号を出力するセンサユニットと前記センサユニットを支持するための本体とを有する検出器と、を含む。前記表示パネルは前記光を情報が含まれたイメージ光に変更させる。
前記サンプリング部は貫通孔または合成樹脂、ガラスなどのような誘電体を含む。
本発明によると、映像を表示するための光を発生する光源の故障を実時間で検出して残りの光源を保護し火災を予防する。
【発明を実施するための最良の形態】
【０００６】
以下、図面を参照して、本発明の望ましい実施形態をより詳細に説明する。
バックライトアセンブリ
第１実施形態
図１は、本発明の第１実施形態によるバックライトアセンブリの断面図である。図２は、図１に示されたバックライトアセンブリの分解斜視図である。
図１及び図２に示すように、バックライトアセンブリ３００は、収納容器１００及び検出器２３０を含む。
収納容器１００は、光発生装置１１０を収納し、光発生装置１１０から発生した電磁場が通過するサンプリングホール１２０を含む。
図２に示すように、収納容器１００は、底板１０２及び側壁１０４を含む。
底板１０２は、光発生装置１１０を支持し、四角プレート形状を有する。従って、底板１０２は、第１面１０２ａ、第２面１０２ｂ及び４つの側壁を含む。前記第１面１０２ａは前記底板１０２の上部面であり、前記第２面１０２ｂは前記底板１０２の下部面である。底板１０２は、光発生装置１１０から発生した光及び電磁場を遮断する物質からなる。望ましく、底板１０２は電磁場及び光を遮断する金属プレートである。
【０００７】
側壁１０４は、底板１０２の端部位から突出されて収納空間１０６を形成する。側壁１０４は底板１０２と同一に金属プレートからなり得る。側壁１０４は収納区間１０６を形成するために底板１０２のエッジから同一の方向に延長されることができる。
サンプリングホール１２０は収納容器１００の底板１０２に形成される。望ましくは、サンプリングホール１２０は収納容器１００の底板１０２に形成された貫通孔である。このとき、サンプリングホール１２０を通じて収納容器１００の収納空間１０６に異物質が流入されることを防止するために、サンプリングホール１２０には誘電体を満たすことができる。前記誘電体は合成樹脂、ガラスなどを含むことができる。光発生装置１１０から発生した光及び電磁場の一部はサンプリングホール１２０を通過し、残りは収納容器１２０によって遮断される。
【０００８】
収納容器１２０の収納空間１０６内に配置された光発生装置１１０は、光源１１２及び電源印加モジュール１１５を含む。
本実施形態において、光源１１２は冷陰極線管ランプ１１２を含む。冷陰極線管ランプ１１２は、ランプチューブの外部に電極が配置された外部電極冷陰極線管ランプまたはランプチューブの内部に電極が配置された冷陰極線管ランプを含むことができる。本実施形態においては、前記冷陰極線管ランプ１１２は外部電極冷陰極線管ランプを含む。冷陰極線管ランプ１１２は収納容器１２０の底板１０２上に配置される。このとき、複数個の冷陰極線管ランプ１１２が収納容器１２０の底板１０２上に配置されることもできる。複数個の冷陰極線管ランプ１１２が収納容器１２０の底板１０２上に配置される場合、冷陰極線管ランプ１１２は相互に平行に配置される。
【０００９】
各冷陰極線管ランプ１１２は、ランプ本体１１２ａ、第１外部電極１１２ｂ及び第２外部電極１１２ｃを含む。
ランプ本体１１２ａは円筒形状の放電空間を含み、前記放電空間の内部には放電ガスが配置され、ランプ本体１１２ａの内壁には蛍光層が形成される。
前記第１及び第２外部電極１１２ｂ、１１２ｃに互いに異なる電圧が印加されると、前記放電空間内に電界が形成されて前記放電ガス内に放電が発生する。前記放電ガス内に放電が発生すると、前記放電空間の内部から非可視光線を発生する。蛍光層は前記非可視光線を可視光線に変更させる。
【００１０】
第１外部電極１１２ｂ及び第２外部電極１１２ｃは、ランプ本体１１２ａの表面に配置される。第１及び第２外部電極１１２ｂ、１１２ｃはランプ本体１１２ａの表面に配置されてランプ本体１１２ａの内部で放電を起こすのに必要とされる放電電圧のレベルを低くして消費電力を減少させる。第１外部電極１１２ｂ及び第２外部電極１１２ｃに電圧が印加されると、ランプ本体１１２ａの内部に放電が生成される。
冷陰極線管ランプ１１２が可視光線を生成する場合、冷陰極線管ランプ１１２の周辺には光及び電磁場が放射される。
【００１１】
電源印加モジュール１１５は、第１電源印加部分１１３、第２電源印加部分１１４及びインバータ１１６を含む。第１電源印加部分１１３は、各冷陰極線管ランプ１１２の第１外部電極１１２ｂに電気的に接続される。第２電源印加部分１１４は、各冷陰極線管ランプ１１２の第２外部電極１１２ｃに電気的に接続される。第１及び第２電源印加部分１１３、１１４は、第１及び第２外部電極１１２ｂ、１１２ｃに並列接続され得る。
インバータ１１６は、電源印加部１１６ａ及び駆動電源制御部１１６ｂを含む。
電源印加部１１６ａは、第１電源印加モジュール１１３に第１駆動電圧を印加し、第２電源印加モジュール１１４に第２駆動電圧を印加する。電源印加部１１６ａから印加された第１駆動電圧及び第２駆動電圧の電圧差は、ランプ本体１１２ａの内部で放電が起こるしきい電圧より大きい。
【００１２】
駆動電源制御部１１６ｂは、各冷陰極線管ランプ１１２の状態を検出する。従って、冷陰極線管ランプ１１２のうち一つが故障した場合、冷陰極線管ランプ１１２に印加される第１駆動電圧及び第２駆動電圧を遮断する。また、冷陰極線管ランプ１１２のうち複数個が故障した場合にも、駆動電源制御部１１６ｂは、冷陰極線管ランプ１１２に印加される第１駆動電圧及び第２駆動電圧を遮断する。
検出器２３０は、各冷陰極線管ランプ１１２から発生した電磁場を検出して、各冷陰極線管ランプ１１２に印加される第１駆動電圧及び第２駆動電圧を遮断するためのセンシング信号を生成する。
図３は、図２に示された検出器の第１面を示す平面図である。図４は、図２に示された検出器の第２面を示す平面図である。図５は、図３のＡ１−Ａ２線に沿って切断した断面図である。
【００１３】
図３〜図５に示すように、検出器２３０は、本体２２５、センサユニット２１０を含む。このとき、検出器２３０が複数のセンサユニット２１０を含むことができる。
本体２２５は、直方体形状を有する電気的抵抗が高い絶縁基板を含む。本実施形態において、本体２２５は印刷回路基板を含む。本体２２５は、第１面２２５ａ及び第１面２２５ａに対応される第２面２２５ｂを含む。
センサユニット２１０は、本体２２５上に形成される。センサユニット２１０は、冷陰極線管ランプ１１２から発生した電磁場を電気信号であるセンシング信号に変更させる。センサユニット２１０は、電磁場をその強度に対応する電流に変換させる導電体２１２及び導電体２１２に接続されて、センシング信号を伝送する信号出力部２１４を含む。
導電体２１２は、本体２２５の第１面２２５ａ上に配置され、信号出力部２１４は、本体２２５の第２面２２５ｂ上に配置される。
【００１４】
本実施形態において、導電体２１２は銅薄膜パターンを含む。前記信号出力部２１４は銅線パターンを含む。このとき、前記導電体２１２または前記信号出力部２１４がアルミニウム、鉄、ダングステンなどを含むことができる。また、信号出力部２１４を導電体２１２と共に形成することもできる。導電体２１２及び信号出力部２１４は、本体２２５に形成されたバイアホール２１６を通じて電気的に接続される。検出器が複数の導電体２１２及び複数の信号出力部２１４を含む場合、導電体２１２及び信号出力部２１４は本体に形成された複数のバイアホール２１６を通じて、それぞれ電気的に接続される。
このとき、信号出力部２１４が補助信号線を含むことができる。
【００１５】
図２に示すように、収納容器１００の内部に配置された各冷陰極線管ランプ１１２から発生した電磁場は、サンプリングホール１２０を通じて冷陰極線管ランプ１１２と対応して配置された検出器２３０のセンシングユニット２１０に照射される。前記電磁場がセンシングユニット２１０に照射される場合、各センシングユニット２１０は、各冷陰極線管ランプ１１２に対応する電磁場をセンシング信号に変換する。各冷陰極線管ランプ１１２に対応して発生した各センシング信号は、信号出力部２１４を通じて駆動電源制御部１１６ｂに印加される。駆動電源制御部１１６ｂは、各センシング信号を基準信号と比較する。センシング信号のうちいずれか一つが基準信号より小さい場合、駆動電源制御部１１６ｂが制御信号を電源印加部１１６ａに印加する。制御信号が電源印加部１１６ａに印加される場合、電源印加部１１６ａは冷陰極線管ランプ１１２に印加される第１駆動信号及び第２駆動信号を遮断する。
【００１６】
図６は図２に示されたバックライトアセンブリを示す断面図である。
図６に示すように、収納容器１００の内部には反射板１０９をさらに配置することができる。反射板１０９は各冷陰極線管ランプ１１２から発生した光を反射させて輝度をより向上させる。
本実施形態によると、各冷陰極線管ランプ１１２から発生した電磁場を各冷陰極線管ランプ１１２に対応して配置されたセンサユニット２１０が検出する。少なくとも一つの冷陰極線管ランプ１１２が故障した場合、電源印加部１１６ａは、各冷陰極線管ランプ１１２に印加される駆動電圧を遮断して、正常作動する冷陰極線管ランプ１１２を保護し火災を防止する。
【００１７】
第２実施形態
図７は、本発明の第２実施形態によるバックライトアセンブリの断面図である。本実施形態においては検出器を除いては実施形態１と同一である。従って、同一の部材に対して第１実施形態と同一の参照番号を示し、その重複説明は省略することにする。
図７に示すように、検出器２６０は、各冷陰極線管ランプ１１２から発生した光を検出して各冷陰極線管ランプ１１２に印加される第１駆動電圧及び第２駆動電圧を遮断するためのセンシング信号を発生させる。センシング信号が駆動電源制御部１１６ｂに印加される場合、電源印加部１１６ａは冷陰極線管ランプ１１２に印加される第１及び第２駆動電圧を遮断する。
検出器２６０は光センシングユニット２４０を含む。本実施形態において、検出器２６０は、各冷陰極線管ランプ１１２から発生した光に対応してセンシング信号を発生させる。光センシングユニット２４０は、フォトトランジスタまたはフォトダイオードのような光センサ２４２及び光センサ２４２から出力された感知信号を伝送するための信号出力部２４４を備えている。インバータ１１６は、光センサ２４２を作動させるための駆動信号を光センサ２４２に印加する。
【００１８】
収納容器１００の内部に配置された各冷陰極線管ランプ１１２から発生した光は、サンプリングホール１２０を通じて各冷陰極線管ランプ１１２と対応して配置された光センシングユニット２４２に照射される。前記光が光センシングユニット２４２に照射される場合、各光センシングユニット２４２は照射された光をセンシング信号に変換する。各冷陰極線管ランプ１１２に対応して発生した各センシング信号は、信号出力部２４４を通じて駆動電源制御部１１６ｂに印加される。駆動電源制御部１１６ｂは、各センシング信号を基準信号と比較する。センシング信号のうち一つが基準信号より小さい場合、駆動電源制御部１１６ｂに制御信号を電源印加部１１６ａに出力する。制御信号が電源印加部１１６ａに印加される場合、電源印加部１１６ａは冷陰極線管ランプ１１２に印加される第１及び第２駆動電源を遮断する。
【００１９】
このとき、収納容器１００の内部には、反射板１０９をさらに配置することができる。反射板１０９は、各冷陰極線管ランプ１１２から発生した光を反射させて光の輝度をより向上させる。反射板１０９は、サンプリングホール１２０と対応する開口１０９ａを含む。冷陰極線管ランプ１１２から発生した光が、サンプリングホール１２０及び開口１０９ａを通じて光センシングユニット２４０に照射される。
本実施形態によると、各冷陰極線管ランプ１１２に対応して配置された光センサユニット２４０が冷陰極線管ランプ１１２から発生した光を検出する。従って、冷陰極線管ランプ１１２が故障した場合、電源印加部１１６ａは各冷陰極線管ランプ１１２に印加される駆動電圧を遮断して、冷陰極線管ランプ１１２を保護し火災を防止する。
【００２０】
第３実施形態
図８は、本発明の第３実施形態によるバックライトアセンブリの断面図である。本実施形態において、検出器を除いて第１実施形態と同一である。従って、同一の部材に対しては第１実施形態と同一の参照番号を示し、その重複説明は省略する。
図８に示すように、検出器２８０は、各冷陰極線管ランプ１１２から発生した光及び電磁場を共に検出して各冷陰極線管ランプ１１２に印加される第１駆動電圧及び第２駆動電圧を遮断するための第１センシング信号及び第２センシング信号を発生させる。
検出器２７０は、センシングユニット２８０を含む。センシングユニット２８０は、第１センシング部分２８２及び第２センシング部分２８４を含む。前記第１センシング部分２８２及び前記第２センシング部分２８４は、本体上に並んで配置される。
【００２１】
第１センシング部分２８２は、各冷陰極線管ランプ１１２から発生された光に対応して第１センシング信号を発生させる。本実施形態において、第１センシング部分は、フォトトランジスタまたはフォトダイオードを含む。各第１センシング部分２８２には第１信号線２８２ａが接続される。第１信号線２８２ａは、駆動制御モジュール１１６ｂに接続される。
第２センシング部分２８４は、各冷陰極線管ランプ１１２から発生した電磁場に対応して第２センシング信号を発生させる。第２センシング部分２９４は、第２信号線２８４ａに接続される。
駆動電圧制御モジュール１１６ｂは、第１センシング部分２８２から印加された第１センシング信号及び第２センシング部分２８４から印加された第２センシング信号によって、冷陰極線管ランプ１１２に印加される第１及び第２駆動電圧を遮断する。
【００２２】
収納容器１００の内部に配置された冷陰極線管ランプ１１２から発生した光及び電磁場は、サンプリングホール１２０を通じて各冷陰極線管ランプ１１２と対応して配置された第１及び第２センシング部分２８２、２８４に照射される。前記光及び前記電磁場がそれぞれ第１及び第２センシング部分２８２、２８４に照射される場合、各第１及び第２センシング部分２８２、２８４は、各冷陰極線管ランプ１１２から発生した光及び電磁場を第１センシング信号及び第２センシング信号にそれぞれ変換する。各冷陰極線管に対応して発生した第１及び第２センシング信号はそれぞれ、第１及び第２信号線２８２ａ、２８４ａを通じて駆動電源制御部１１６ｂに印加される。駆動電源制御部１１６ｂは、各第１及び第２センシング信号を基準信号と比較する。第１または第２センシング信号のうち一つが基準信号より小さい場合、駆動電源制御部１１６ｂは、制御信号を電源印加部１１６ａに出力する。制御信号が電源印加部１１６ａに印加される場合、電源印加部１１６ａは、冷陰極線管ランプ１１２ａに印加される第１及び第２駆動電源を遮断する。
【００２３】
このとき、収納容器１００の内部には、反射板１０９をさらに配置することができる。反射板１０９は、冷陰極線管ランプ１１２から発生した光を反射させて光の輝度をより向上させる。反射板１０９は、サンプリングホール１２０と対応する開口１０９ａを含む。冷陰極線管ランプ１１２から発生した光及び電磁場は、サンプリングホール１２０及び開口１０９ａを通じて第１及び第２センシング部分２８２、２８４に照射される。
本実施形態によると、各冷陰極線管ランプ１１２に対応して配置された第１及び第２センシング部分２８２、２８４が、冷陰極線管ランプ１１２から発生した光及び電磁場を検出する。従って、冷陰極線管ランプ１１２が故障した場合、電源印加部１１６ａは、各冷陰極線管ランプ１１２に印加される駆動電源を遮断して冷陰極線管ランプ１１２を保護し火災を防止する。
【００２４】
第４実施形態
図９は、本発明の第４実施形態によるバックライトアセンブリの断面図である。本実施形態においては検出器を除いて第１実施形態と同一である。従って、同一の部材に対しては第１実施形態と同一の参照番号を示し、その重複説明は省略する。
図９に示すように、検出器２９０は各冷陰極線管ランプ１１２から発生した光及び電磁場をともに検出して各冷陰極線管ランプ１１２に印加される第１駆動電圧及び第２駆動電圧を遮断するための第１センシング信号及び第２センシング信号を発生させる。
【００２５】
検出器２９０は、センシングユニット２９１を含む。センシングユニット２９１は、第１センシング部分２９２及び第２センシング部分２９４を含む。第２センシング部分２９４は本体上に配置され、第１センシング部分２９２は第２センシング部分２９４上に配置される。検出器２９０が複数のセンシングユニット２９１を含む場合、第２センシング部分２９４は本体上に並んで配置され、それぞれの第１センシング部分２９２はそれぞれの第２センシング部分２９４上に配置される。
第１センシング部分２９２は、各冷陰極線管ランプ１１２から発生した光に対応して第１センシング信号を発生させる。各第１センシング部分２９２には、第１信号線２９２ａが接続される。第１信号線２９２ａは、駆動電圧制御モジュール１１６ｂに接続される。
第２センシング部分２９４は、各冷陰極線管ランプ１１２から発生した電磁場に対応して第２センシング信号を発生させる。第２センシング部分２９４は第２信号線２９４ａに接続される。
本実施形態によると、第１センシング部分２９２が第２センシング部分２９４上に配置されているので、センシングユニット２９１が大幅に減少される。
【００２６】
表示装置
図１０は、本発明の一実施形態による表示装置の断面図である。本表示装置に具備されるバックライトアセンブリは前述した第１〜第４実施形態のいずれかと同一であるので、その重複説明は省略する。
図１０に示すように、表示装置５００はバックライトアセンブリ３００及び表示パターン４００を含む。
表示パターン４００は、バックライトアセンブリ３００から発生した光の供給を受ける。
表示パターン４００は、バックライトアセンブリ３００から発生した光を情報が含まれたイメージに変換する。
表示パターン４００は、ＴＦＴ基板４１０、液晶層４３０及びカラーフィルタ基板４２０を含む。
【００２７】
図１１は、図１０に示されたＴＦＴ基板の一部を示す平面図である。
図１１に示すように、ＴＦＴ基板４１０は画素電圧を印加する画素電圧印加部４１１及び画素電極４１３を含む。ＴＦＴ基板４１０は複数の画素電圧印加部４１１及び複数の画素電極４１３を含むことができる。
画素電極４１３は、ＴＦＴ基板４１０に複数個がマトリックス状に配置される。画素電極４１３は、インジウム錫酸化膜またはインジウム亜鉛酸化膜をパターニングして形成され得る。
画素電圧印加部４１１は、薄膜トランジスタ４１１ａ及び駆動信号線４１２を含む。
【００２８】
駆動信号線４１２は、ゲート信号線４１２ａ及びデータ信号線４１２ｂを含む。ゲート信号線４１２ａ及びデータ信号線４１２ｂは、相互交差されるように配置され、ゲート信号線４１２ａ及びデータ信号線４１２ｂは相互絶縁される。
薄膜トランジスタ４１１ａは、ゲート信号線４１２ａ及びデータ信号線４１２ｂと電気的に接続される。具体的に、薄膜トランジスタ４１１ａはゲート電極Ｇ、ソース電極Ｓ、チャネル層Ｃ及びドレイン電極Ｄを含む。ゲート電極Ｇの上部にはチャネル層Ｃが配置され、ゲート電極Ｇ及びチャネル層Ｃはゲート絶縁膜によって絶縁される。ゲート電極Ｇはゲート信号線４１２ａに電気的に接続される。チャネル層Ｃにはソース電極Ｓ及びドレイン電極Ｄが電気的に接続され、ソース電極Ｓはデータ信号線Ｄに電気的に接続される。ドレイン電極Ｄは画素電極４１３に電気的に接続される。
【００２９】
動作において、データ信号線４１２ｂに画素電圧が印加され、ゲート信号線４１２ａにチャネル層Ｃを不導体から導体に変更させるしきい電圧以上の駆動電圧が印加されることにより、画素電圧はチャネル層Ｃ及びドレイン電極Ｄを通じて画素電極４１３に印加される。ＴＦＴ基板４１０が複数の画素電極４１３を含む場合、各画素電極４１３には、互いに異なるレベルの画素電圧が印加される。
【００３０】
図１２は、図１０に示されたカラーフィルタ基板を示す断面図である。
図１２に示すように、カラーフィルタ基板４２０はＴＦＴ基板４１０と向き合うように配置される。カラーフィルタ基板４２０は、透明基板４２１、ブラックマトリックス４２５、カラーフィルタ４２４及び共通電極４２２を含む。ブラックマトリックス４２５は、透明基板４２１上に配置される。カラーフィルタ４２４は、ブラックマトリックス４２５を有する透明基板４２１上に形成され、各画素電極４１３の位置に対応する。カラーフィルタは、レッドカラーフィルタ部分４２４ａ、グリーンカラーフィルタ部分４２４ｂ及びブルーカラーフィルタ部分４２４ｃを含む。ブラックマトリックス４２５は、レッドカラーフィルタ部分４２４ａ、グリーンカラーフィルタ部分４２４ｂ及びブルーカラーフィルタ部分４２２ｃの間に漏洩された光を遮断する。共通電極４２２は、ブラックマトリックス４２５及びカラーフィルタ４２４を有する透明基板４２１上に形成され、画素電極４１３と向き合う。共通電極４２２は、インジウム錫酸化膜、インジウム亜鉛酸化膜、亜鉛酸化のような透明な導電性物質を含む。
【００３１】
液晶層４３０は、カラーフィルタ基板４２０とＴＦＴ基板４１０との間に配置される。液晶層４３０の液晶は、ＴＦＴ基板４１０に形成された画素電極４１３とカラーフィルタ基板４２０に形成された共通電極４２２との間に形成された電界によって配列が変更される。液晶層４３０の液晶の配列が変更されると、液晶層４３０を通過する光の透過率が調節されて、バックライトアセンブリ３００から発生した光がイメージ光に変更される。
駆動モジュールは、ゲート信号線４１２ａ及びデータ信号線４１２ｂに画素電圧または駆動電圧を印加する。
【００３２】
以上、詳細に説明したように、光源が収納された収納容器が光源と対応し、電磁場または光が通過されるサンプリング部及び収納容器の外部に配置されてサンプリング部を通じて出射された電磁場または光を検出する検出器を含む。検出器は、光源から発生した電磁場または光に対応してセンシング信号を出力し、光源の状態を実時間で測定して、光源のうちいずれか一つ以上が故障されたとき、光源に印加される駆動電圧を遮断して、残りの光源を保護し火災を防止する。
【００３３】
以上、本発明の実施形態によって詳細に説明したが、本発明はこれに限定されず、本発明が属する技術分野において通常の知識を有するものであれば本発明の思想と精神を離れることなく、本発明を修正または変更できる。
【図面の簡単な説明】
【００３４】
【図１】本発明の第１実施形態によるバックライトアセンブリの断面図である。
【図２】図１に示されたバックライトアセンブリの分解斜視図である。
【図３】図２に示された検出器の第１面を示す平面図である。
【図４】図２に示された検出器の第２面を示す平面図である。
【図５】図３のＡ１−Ａ２線に沿って切断した断面図である。
【図６】図２に示されたバックライトアセンブリを示す断面図である。
【図７】本発明の第２実施形態によるバックライトアセンブリの断面図である。
【図８】本発明の第３実施形態によるバックライトアセンブリの断面図である。
【図９】本発明の第４実施形態によるバックライトアセンブリの断面図である。
【図１０】本発明の実施形態による表示装置の断面図である。
【図１１】図１０に示されたＴＦＴ基板の一部を示す平面図である。
【図１２】図１０に示されたカラーフィルタ基板を示す断面図である。
【符号の説明】
【００３５】
１００      収納容器
１０２      低板
１０４      側壁
１０６      収納空間
１１０      光発生装置
１１２      光源
１１２ａ      ランプ本体
１１２ｂ      第１外部電極
１１２ｃ      第２外部電極
１１３      第１電源印加部
１１４      第２電源印加部
１１５      電源印加モジュール
１１６      インバータ
１２０      サンプリングホール
２１０      センサユニット
２２５      本体
２３０      検出器
２８０      センシングユニット
２８２      第１センシングユニット
２８４      第２センシングユニット
３００      バックライトアセンブリ
４００      表示パネル
４１０      ＴＦＴ基板
４１１      画素電圧印加部
４１２ａ      ゲート信号線
４１２ｂ      データ信号線
４１３      画素電極
４２０      カラーフィルタ基板
４２１      透明基板
４２２      共通電極
４２４      カラーフィルタ
４２５      ブラックマトリックス
４３０      液晶層
【図１】
0004658549.tif 000002
【図２】
0004658549.tif 000003
【図３】
0004658549.tif 000004
【図４】
0004658549.tif 000005
【図５】
0004658549.tif 000006
【図６】
0004658549.tif 000007
【図７】
0004658549.tif 000008
【図８】
0004658549.tif 000009
【図９】
0004658549.tif 000010
【図１０】
0004658549.tif 000011
【図１１】
0004658549.tif 000012
【図１２】
0004658549.tif 000013